(57)【要約】【課題】プラントの将来のリスクの把握を容易にでき、また、簡単に複数のプラントに拡張できるメンテナンスネットワークシステムを提供する。【解決手段】クライアント２０１と、このクライアント２０１にネットワーク４０で結ばれたサーバ１０１と、このサーバ１０１にネットワーク４０で結ばれたデータベース３０１、とを備えた第１ユニット１から成るメンテナンスネットワークシステムであって、サーバ１０１は、クライアント２０１からのリスク解析要求に応答してデータベース３０１にリンクし、該データベース３０１からの情報に基づいてリスク解析を行う。【選択図】      図１
2004240712.tif 000002
【特許請求の範囲】
【請求項１】
クライアントと、
前記クライアントにネットワークで結ばれたサーバと、
前記サーバに前記ネットワークで結ばれたデータベース、
とを備えたユニットから成るメンテナンスネットワークシステムであって、
前記サーバは、前記クライアントからのリスク解析要求に応答して前記データベースにリンクし、該データベースからの情報に基づいてリスク解析を行う、
メンテナンスネットワークシステム。
【請求項２】
第２クライアントと、
前記第２クライアント、前記サーバ及び前記データベースに前記ネットワークで結ばれた第２サーバと、
前記第２サーバに前記ネットワークで結ばれた第２データベース、
とを備えた第２ユニット、を更に備え、
前記第２サーバは、前記第２クライアントからのリスク解析要求に応答して、前記サーバ、前記データベース及び前記第２データベースにリンクし、前記サーバ、前記データベース及び前記第２データベースからの情報に基づいてリスク解析を行う、請求項１に記載のメンテナンスネットワークシステム。
【請求項３】
前記第２ユニットを単位として増設可能である、請求項２に記載のメンテナンスネットワークシステム。
【発明の詳細な説明】
【０００１】
【発明の属する技術分野】
本発明は、例えばごみ処理プラントをネットワークで接続して保守を行うメンテナンスネットワークシステムに関する。
【０００２】
【従来の技術】
従来、各地にごみ処理プラントが設置され、稼働中である。このようなごみ処理プラントにおいては、運転コストの低減という観点から、運転の自動化が進められている。また、日常の運転データを収集し、ごみ搬入量、稼働計画等の将来予測も行われている。
【０００３】
【特許文献１】
特開２００２−１９７０９２号公報（第３−第８頁、第１図）
【０００４】
【発明が解決しようとする課題】
このような従来のごみ処理プラントの寿命や保守計画等は設置時に定められているが、設置後に発生するリスクに対する考慮はなされていない。また、ごみ処理プラントは必要に応じて増設されるが、スタンドアローンでの増設が多く、他のごみ処理プラントで収集したデータを活用するのが困難である。
【０００５】
本発明は、上述した問題を解消するためになされたものであり、その目的は、複数のプラントのデータを活用して精度を高めたプラントの将来のリスクについて把握を容易にでき、また、簡単に拡張できるメンテナンスネットワークシステムを提供することにある。
【０００６】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【０００７】
本発明に係るメンテナンスネットワークシステムは、上記目的を達成するために、クライアント（２０１）と、このクライアント（２０１）にネットワーク（４０）で結ばれたサーバ（１０１）と、このサーバ（１０１）にネットワーク（４０）で結ばれたデータベース（３０１）、とを備えたユニット（１）から成るメンテナンスネットワークシステムであって、サーバ（１０１）は、クライアント（２０１）からのリスク解析要求に応答してデータベース（３０１）にリンクし、該データベース（３０１）からの情報に基づいてリスク解析を行うように構成されている。
【０００８】
この構成によれば、ユーザは、クライアント（２０１）からネットワーク（４０）を介してサーバ（１０１）を起動することにより、データベース（３０１）に蓄積されているデータに基づくリスク解析を行わせることができるので、例えばプラントの将来のリスクを容易に把握できる。
【０００９】
また、本発明に係るメンテナンスネットワークシステムは、上記目的を達成するために、第２クライアント（２０２）と、この第２クライアント（２０２）、サーバ（２０１）及びデータベース（３０１）にネットワーク（４０）で結ばれた第２サーバ（１０２）と、この第２サーバ（１０２）にネットワーク（４０）で結ばれた第２データベース（３０２）、とを備えた第２ユニット（２）、を更に備え、第２サーバ（１０２）は、第２クライアント（２０２）からのリスク解析要求に応答して、サーバ（２０１）、データベース（３０１）及び第２データベース（３０２）にリンクし、サーバ（２０１）、データベース（３０１）及び第２データベース（３０２）からの情報に基づいてリスク解析を行うように構成できる。
【００１０】
この構成によれば、第２ユニット（２）は、自己の第２データベース（３０２）からの情報に加え、ユニット（１）を構成するサーバ（１０１）及びデータベース（３０１）からの情報をも加味してリスク解析を行うことができるので、リスク解析の精度を向上させることができる。
【００１１】
更に、本発明に係るメンテナンスネットワークシステムは、第２ユニット（２）を単位として増設可能に構成できる。この構成によれば、メンテナンスネットワークシステムの拡張は、第２ユニット（２）を増設することにより行うことができるので、メンテナンスネットワークシステムの拡張が容易になる。
【００１２】
【発明の実施の形態】
以下、本発明の実施の形態を、図面を参照しながら詳細に説明する。以下では、本発明に係るメンテナンスネットワークシステムがごみ処理プラントに適用される場合について説明するが、本発明はごみ処理プラントに限らず、種々のプラントにも適用可能である。
【００１３】
図１は、本発明の実施の形態に係るメンテナンスネットワークシステムの構成を示す図である。
【００１４】
このメンテナンスネットワークシステムは、基本となる第１ユニット１、増設された第２ユニット２、更に増設された第３ユニット３から構成されている。
【００１５】
第１ユニット１は、サーバ１０１、ＲＢＭクライアント２０１及びデータベース３０１及びこれらを結ぶネットワーク４０から構成されている。ネットワーク４０としては、例えばインターネット、ローカルエリアネットワーク（ＬＡＮ）、その他のネットワークを用いることができる。
【００１６】
サーバ１０１は、例えばサーバコンピュータから構成されている。このサーバ１０１は、ＲＢＭ（Ｒｉｓｋ  Ｂａｓｅｄ  Ｍａｉｎｔｅｎａｎｃｅ）ソフトウェア１１１を搭載している。このＲＢＭソフトウェア１１１は、リスクを勘案しながら保守を行うための解析を行う（詳細は後述する）。
【００１７】
ＲＢＭクライアント２０１は、例えばパーソナルコンピュータから構成されている。このＲＢＭクライアント２０１は、ＲＢＭユーザが、サーバ１０１のＲＢＭソフトウェア１１１を起動するために使用される。
【００１８】
データベース３０１は、共用データベースとして工場や事務所に設置され、後述するように、他のユニットからも参照できるようになっている。このデータベース３０１は、図２に示すようなデータの入力及び出力を行う。
【００１９】
入力されるデータには、図示しない中央制御室からの運転情報５０、ごみ収集記録（量、分別記録）や灰搬出等の記録５１、薬品、水道、電力等の使用量５２、ごみカロリー、環境計測等５３、日常点検記録及び画像５４、定期点検記録５５、勤怠関係記録、人事計画５６、施設情報、管理値５７、機器情報、劣化関数式５８、トラブル事例集、整備サイクル５９、その他の現地状況（損傷状態写真、在庫状況等）６０が含まれる。
【００２０】
また、出力されるデータには、運転日報、月報、日常及び定期点検報告、環境計測記録、勤怠等、各種の必要帳票類７０、ごみ搬入量、ごみカロリーの将来予測７１、損傷確率曲線、リスクの定量化７２、リスクを含むメンテナンス（保守）将来予測７３、運転診断７４、施設の今後の焼却可能量、稼働率の推移（又は、稼働量の推移）、経済性を考慮した余寿命７５、運用コスト７６、現地支援７７が含まれる。これらのうち、本発明の実施の形態に係るメンテナンスネットワークシステムに直接関係するのは、損傷確率曲線、リスクの定量化７２、リスクを含むメンテナンス将来予測７３である（詳細は後述する）。
【００２１】
また、上述した出力データのうち、ごみ搬入量、ごみカロリーの将来予測７１は、損傷確率曲線、リスクの定量化７２、リスクを含むメンテナンス将来予測７３、運転診断７４、施設の今後の消却可能量、稼働率の推移、経済性を考慮した余寿命７５及び運用コスト７６は、人による判断によって修正され、再度データベース３０１に登録される。人による判断では、経験豊かな人及び有識者による判断が行われる。
【００２２】
更に、このデータベース３０１は、他の工場や事務所のデータベースやドキュメント管理ソフトウェア他７８に、ネットワーク４０を介して接続され、これらと連動可能になっている。
【００２３】
第２ユニット２の構成は、第１ユニット１の構成と、下記の点を除き、同じである。即ち、第２ユニット２のサーバ１０２は、第１ユニット１のサーバ１０１及びデータベース３０１とネットワーク４０で結ばれ、相互に情報の送受が可能になっている。
【００２４】
なお、図１では、基本の第１ユニット１に第２ユニット２を増設してメンテナンスネットワークシステムを構築するという観点から記載されているので、第１ユニット１のサーバ１０１から第２ユニット２のデータベース３０２へのルートは図示されていないが、これらの間の情報の送受も可能になっている。
【００２５】
第３ユニット３の構成は、第１ユニット１の構成と、下記の点を除き、同じである。即ち、第３ユニット３のサーバ１０３は、第１ユニット１のサーバ１０１、第２ユニット２のサーバ１０２、第１ユニット１のデータベース３０１及び第２ユニット２のデータベース３０２とネットワーク４０で結ばれ、相互に情報の送受が可能になっている。
【００２６】
なお、図１では、基本の第１ユニット１に第２ユニット２を増設し、更に第３ユニット３を増設してメンテナンスネットワークシステムを構築するという観点から記載されているので、第１ユニット１のサーバ１０１から第２ユニット２のデータベース３０２及び第３ユニット３のデータベース３０３へのルート、並びに第２ユニット２のサーバ１０２から第３ユニット３のデータベース３０３へのルートは図示されていないが、これらの間の情報の送受も可能になっている。
【００２７】
次に、上述したように構成される本発明の実施の形態に係るメンテナンスネットワークシステムの動作を説明する。
【００２８】
先ず、第１ユニット１のＲＢＭユーザは、ＲＢＭクライアント２０１を操作して、リスク解析要求を行う。このリスク解析要求は、ネットワーク４０を介してサーバ１０１に送られる。
【００２９】
リスク解析要求を受け取ったサーバ１０１は、ＲＢＭソフトウェア１１１を起動する。これにより、ＲＢＭソフトウェア１１１は、データベース３０１に格納されているデータに基づいてリスク解析を実行する。具体的には、ＲＢＭソフトウェア１１１は、炉の損傷確率曲線の算出を行う。この損傷確率曲線の一例を図３に示す。この図３から、ＲＢＭユーザは、運転時間の経過に伴って上昇する炉の損傷の確率を知ることができる。
【００３０】
また、ＲＢＭソフトウェア１１１は、リスクを定量化し、保守アクション判断及び保守コスト８０を算出し、図４に示すような、リスクを勘案した保守コストと運転時間の関係を示す図を出力する。これにより、ＲＢＭユーザは、運転時間と保守アクションのタイミングを知ることができる。
【００３１】
更に、ＲＢＭソフトウェア１１１は、図５に示すような、リスクを含む保守の将来予測を示す図を崩壊予測として出力する。この図５には補修基準値及び崩壊予測値が示されるので、ＲＢＭユーザは、これを勘案して将来の保守計画を立てることができる。
【００３２】
以上、第１ユニット１のみから成るメンテナンスネットワークシステムの動作を説明したが、第２ユニット２が増設された場合は、該第２ユニット２のサーバ１０２に搭載されたＲＢＭソフトウェア１１２は、第１ユニット１のサーバ１０１の処理結果及び第１ユニット１のデータベース３０１に格納されているデータをも勘案して上述した損傷確率曲線の算出、保守コストと運転時間の関係、保守の将来予測等を算出する。従って、ＲＢＭユーザは、より高い精度の情報を得ることができる。第３ユニット３の動作も同じである。
【００３３】
以上説明したように、本発明の実施の形態に係るメンテナンスネットワークシステムによれば、各ユニットのＲＢＭユーザは、ＲＢＭクライアント２０１〜２０３からネットワーク４０を介してサーバ１０１〜１０３のＲＢＭソフトウェア１１１をそれぞれ起動することにより、各データベース３０１〜３０３に蓄積されているデータに基づくリスク解析を行わせることができる。従って、例えばプラントの将来のリスクを容易に把握できる。
【００３４】
また、第２ユニット２が増設された場合に、第２ユニット２は、自己のデータベース３０２からの情報に加え、第１ユニット１を構成するサーバ１０１及びデータベース３０１からの情報をも加味してリスク解析を行うことができるので、リスク解析の精度を向上させることができる。
【００３５】
更に、本発明に係るメンテナンスネットワークシステムは、第２ユニット２を単位として増設可能であるので、第２ユニット２を増設することによりメンテナンスネットワークシステムの拡張を行うことができる。従って、メンテナンスネットワークシステムの拡張が容易になる。
【００３６】
【発明の効果】
以上詳述したように、本発明によれば、複数のプラントのデータを活用して精度を高めたプラントの将来のリスクの把握を容易にできるメンテナンスネットワークシステムを提供できる。また、増設が簡単なメンテナンスネットワークシステムを提供できる。
【図面の簡単な説明】
【図１】本発明の実施の形態に係るメンテナンスネットワークシステムの構成を示すブロック図である。
【図２】本発明の実施の形態に係るメンテナンスネットワークシステムで使用されるデータベースの入出力データを説明するための図である。
【図３】本発明の実施の形態に係るメンテナンスネットワークシステムのリスク解析によって出力される損傷確率曲線の一例を説明するための図である。
【図４】本発明の実施の形態に係るメンテナンスネットワークシステムのリスク解析によって出力される保守コストと運転時間の関係の一例を示す図である。
【図５】本発明の実施の形態に係るメンテナンスネットワークシステムのリスク解析によって出力される、リスクを含む保守の将来予測の一例を示す図である。
【符号の説明】
１〜３  第１〜第３ユニット
１０１〜１０３  サーバ
１１１〜１１３  ＲＢＭソフトウェア
２０１〜２０３  ＲＢＭクライアント
３０１〜３０３  データベース
４０  ネットワーク
【図１】
2004240712.tif 000003
【図２】
2004240712.tif 000004
【図３】
2004240712.tif 000005
【図４】
2004240712.tif 000006
【図５】
2004240712.tif 000007